(57)【特許請求の範囲】
【請求項１】
エレベーターのかごに設けられ、警告音を出力する報知装置と、
前記かごに設けられたドア駆動装置と、
エレベーターの保守員が操作するための複数のドアスイッチと、
全ての前記ドアスイッチが投入されている時に前記かごがドアゾーンに配置されると、所定の開放条件に基づいて前記ドア駆動装置を制御し、エレベーターのドアを開放させる制御手段と、
を備え、
前記制御手段は、
前記ドアスイッチが遮断されると、前記かごがドアゾーンに配置されていてもエレベーターのドアを開閉させず、
前記ドアスイッチのそれぞれの状態を検出し、前記かごがドアゾーンに配置されている時に何れか一つの前記ドアスイッチが遮断状態から投入されて全ての前記ドアスイッチが投入状態になると、前記報知装置から警告音を出力させ、エレベーターのドアを開放させる
エレベーターの制御装置。
【請求項２】
前記制御手段は、前記かごがドアゾーンに配置されている時に前記ドアスイッチが遮断状態から投入されると、所定時間経過後に、前記報知装置からの報知を停止させる請求項１に記載のエレベーターの制御装置。
【請求項３】
前記ドアスイッチは、
保守員が前記かご上で操作するための第１ドアスイッチと、
保守員が前記かご内で操作するための第２ドアスイッチと、
保守員が機械室内で操作するための第３ドアスイッチと、
を備えた請求項１又は請求項２に記載のエレベーターの制御装置。
【発明の詳細な説明】
【技術分野】
【０００１】
この発明は、エレベーターの制御装置に関するものである。
【背景技術】
【０００２】
図３は従来のエレベーターの制御装置の要部を示す構成図である。
図３において、１１はエレベーターのかごがドアゾーンに配置されていることを検知するドアゾーン検知装置、１４乃至１６は、エレベーターの保守を行う保守員が操作するためのドアスイッチである。
【０００３】
エレベーターのドアは、上記ドアスイッチ１４乃至１６の全てが投入されていなければ開閉しない。エレベーターの通常運転時、ドアスイッチ１４乃至１６は、全て投入されている。このため、エレベーターの制御盤８ａは、かごがドアゾーンに配置されていることがドアゾーン検知装置１１によって検知されていれば、所定の開放条件が成立することにより、ドア駆動装置１２を制御して、エレベーターのドアを開放させる。
【０００４】
エレベーターの保守員は、かご上で保守作業を行う場合、かご上に設置されたドアスイッチ１５を遮断する。ドアスイッチ１４乃至１６の何れか一つでも遮断されると、制御盤８ａは、ドアの開閉を行わない。その後、保守員は、保守作業が終了すると、かご上から降りる際にドアスイッチ１５を投入する。遮断されていたドアスイッチ１５が投入され、全てのドアスイッチ１４乃至１６が投入状態になると、制御盤８ａは、その時にかごがドアゾーンに配置されていれば、ドア駆動装置１２を制御して、エレベーターのドアを開放させる。
【０００５】
なお、エレベーターのドアに関する従来技術として、エレベーターの利用者が乗場ドアに接近すると、警報を発して、利用者に知らせるものが提案されている。
【先行技術文献】
【特許文献】
【０００６】
【特許文献１】特開２００３−３４１９６２号公報
【発明の概要】
【発明が解決しようとする課題】
【０００７】
従来のエレベーターでは、ドアスイッチの投入時にかごがドアゾーンに配置されていると、かご位置に関わらずエレベーターのドアが開放されてしまう。このため、その乗場に一般の利用者がいると、通常のサービスが行われているものと勘違いし、利用者がかごに乗り込んでしまう恐れがある。なお、エレベーターの保守時には、かごの床面と乗場の床面との間に段差が形成されていることがある。かかる場合は、利用者がその段差に気付かないことも考えられる。
【０００８】
なお、上記特許文献１に記載のものでは、このような問題を解決することはできない。
【０００９】
この発明は、上述のような課題を解決するためになされたもので、その目的は、ドアスイッチの投入時に一般の利用者が間違えてかごに乗り込んでしまうことを防止することができるエレベーターの制御装置を提供することである。
【課題を解決するための手段】
【００１０】
この発明に係るエレベーターの制御装置は、エレベーターのかごに設けられ、警告音を出力する報知装置と、かごに設けられたドア駆動装置と、エレベーターの保守員が操作するための複数のドアスイッチと、全てのドアスイッチが投入されている時にかごがドアゾーンに配置されると、所定の開放条件に基づいてドア駆動装置を制御し、エレベーターのドアを開放させる制御手段と、を備え、制御手段は、ドアスイッチが遮断されると、かごがドアゾーンに配置されていてもエレベーターのドアを開閉させず、ドアスイッチのそれぞれの状態を検出し、かごがドアゾーンに配置されている時に何れか一つのドアスイッチが遮断状態から投入されて全てのドアスイッチが投入状態になると、報知装置から警告音を出力させ、エレベーターのドアを開放させるものである。
【発明の効果】
【００１１】
この発明に係るエレベーターの制御装置であれば、ドアスイッチの投入時に一般の利用者が間違えてかごに乗り込んでしまうことを防止することができるようになる。
【図面の簡単な説明】
【００１２】
【図１】この発明の実施の形態１における制御装置を備えたエレベーターの全体構成を示す図である。
【図２】この発明の実施の形態１におけるエレベーターの制御装置の要部を示す構成図である。
【図３】従来のエレベーターの制御装置の要部を示す構成図である。
【発明を実施するための形態】
【００１３】
この発明をより詳細に説明するため、添付の図面に従ってこれを説明する。なお、各図中、同一又は相当する部分には同一の符号を付しており、その重複説明は適宜に簡略化ないし省略する。
【００１４】
実施の形態１．
図１はこの発明の実施の形態１における制御装置を備えたエレベーターの全体構成を示す図、図２はこの発明の実施の形態１におけるエレベーターの制御装置の要部を示す構成図である。
【００１５】
図１及び図２において、１はエレベーターの昇降路、２はエレベーターの機械室、３はビルの各階に備えられたエレベーターの乗場である。機械室２は、昇降路１の上方に設けられている。４はエレベーターのかご、５はつり合いおもりである。かご４及びつり合いおもり５は、主ロープ６により、昇降路１内で釣瓶式に懸架されている。
【００１６】
７はエレベーターの駆動装置からなる巻上機である。巻上機７は、機械室２に設置されている。主ロープ６は、その一部が巻上機７（の駆動綱車）に巻き掛けられている。かご４は、巻上機７の駆動綱車の回転に連動して主ロープ６がその長手に移動することにより、主ロープ６の移動方向に応じた方向に、昇降路１内を昇降する。つり合いおもり５は、かご４とは逆方向に昇降路１内を昇降する。
【００１７】
８はかご４の走行を含め、エレベーターの運行を制御する制御盤（制御手段）である。制御盤８は、機械室２に設置されている。
【００１８】
９は昇降路１の固定体に設けられたドアゾーン検知用プレート、１０はかご４に設けられたプレート検知器である。ドアゾーン検知装置１１は、ドアゾーン検知用プレート９及びプレート検知器１０により構成される。ドアゾーン検知装置１１は、かご４がドアゾーンに配置されていることを検知するためのものである。
【００１９】
かご４には、かご出入口を開閉するかごドア（図示せず）が、各乗場３には、乗場出入口を開閉する乗場ドア（図示せず）が設置されている。乗場３には、乗場ドアを駆動するための電動機等の装置は備えられていない。かごドア（及び乗場ドア）を開閉するドア駆動装置１２は、かご４に設けられている。かごドアと各乗場ドアとには、乗場ドアをかごドアの開閉動作に連動させる連動装置（図示せず）が設けられている。上記ドアゾーンは、乗場ドアがかごドアに連動して開閉する範囲のことである。即ち、かご４がある乗場３のドアゾーンに配置されている場合、ドア駆動装置１２によってかごドアを開閉すると、その乗場３に設置された乗場ドアも、かごドアに連動して開閉する。
【００２０】
ドアゾーン検知装置１１は、かご４がドアゾーンに配置されていれば、その旨の信号を制御盤８に出力する。具体的には、プレート検知器１０によってドアゾーン検知用プレート９の存在が検知されると、プレート検知器１０から制御盤８に対して検知信号が送信される。
【００２１】
１３はかご４に設けられたブザー装置（報知装置）である。制御盤８は、所定の条件が成立すると、ブザー装置１３を鳴動させて、ブザー音（警告音）を鳴り響かせる。
【００２２】
１４乃至１６は投入（ＯＮ）状態及び遮断（ＯＦＦ）状態に切り換え可能なドアスイッチである。ドアスイッチ１４乃至１６は、ドア駆動装置１２の動作を規制及び制御するためのものである。ドアスイッチ１４乃至１６は、投入状態であれば、ＯＮ信号を制御盤８に出力する。制御盤８は、入力される信号に基づいて、ドアスイッチ１４乃至１６のそれぞれの状態を検出する。ドアスイッチ１４乃至１６の全てが投入されている場合、制御盤８は、かご４がドアゾーンに配置されていれば、所定の開放条件が成立することにより、ドア駆動装置１２を制御して、エレベータードア（かごドア及び乗場ドア）を開放させる。例えば、かご４内の戸開釦（図示せず）が押されることにより、上記開放条件は成立する。なお、制御盤８は、プレート検知器１０から入力される検知信号の有無に基づいて、かご４がドアゾーンに配置されているか否かの判定を行う。ドアスイッチ１４乃至１６の何れか一つでも投入されていない（遮断されている）場合、制御盤８は、かご４がドアゾーンに配置されていても、ドア駆動装置１２の動作を規制してエレベータードアを開放させない。
【００２３】
ドアスイッチ１４乃至１６は、エレベーターの保守を行う保守員が操作するためのものである。このため、ドアスイッチ１４乃至１６は、一般のエレベーター利用者が操作できない場所に設置されている。
【００２４】
ドアスイッチ１４は、保守員がかご４内で操作するためのものである。ドアスイッチ１４は、例えば、かご４内に設置された保守用操作盤１７に設けられている。保守用操作盤１７には、例えば、保守員が所有する鍵によって開閉可能な蓋が設けられている。ドアスイッチ１４や他の保守用スイッチは、上記蓋を開放することによって操作可能となる。即ち、エレベーターの通常運転時、上記蓋は施錠されており、一般の利用者が保守用操作盤１７（ドアスイッチ１４等）を操作することができないように構成されている。
かご４内には、一般の利用者が操作するためのかご内操作盤（図示せず）も別途備えられている。
【００２５】
ドアスイッチ１５は、保守員がかご４上で操作するためのものである。ドアスイッチ１５は、かご４上に設置されている。
ドアスイッチ１６は、保守員が制御盤８の周辺（本実施の形態では、機械室２内）で操作するためのものである。ドアスイッチ１６は、例えば、制御盤８に備えられている。
【００２６】
上記構成を有するエレベーターでは、通常運転時、ドアスイッチ１４乃至１６は全て投入されている。このため、制御盤８では、かご４がドアゾーンに配置されていることがドアゾーン検知装置１１によって検知されていれば、所定の開放条件が成立することにより、ドア駆動装置１２を制御して、かごドア（及びその乗場３の乗場ドア）を開閉させる。
【００２７】
エレベーターの保守時、保守員は、例えば、かご４上で作業を行う場合は、ドアスイッチ１５を遮断する。また、かご４内で作業を行う場合はドアスイッチ１４を、機械室２で作業を行う場合はドアスイッチ１６を遮断する。ドアスイッチ１４乃至１６の何れか一つでも遮断されると、制御盤８は、かご４がドアゾーンに配置されていることがドアゾーン検知装置１１によって検知されていても、ドアの開閉を行わない。このため、例えば、保守員がかご４上でかご４を昇降させ、かご４がドアゾーンに移動しても、エレベーターのドアは開かない。
【００２８】
エレベーターの保守員は、保守作業が終了し、例えば、かご４上から降りる時、ドアスイッチ１５を投入する。このため、ドアスイッチ１４及び１６が予め投入されていれば、上記保守員の操作によって、ドアスイッチ１４乃至１６の全てが投入状態となる。制御盤８は、かご４がドアゾーンに配置されている時に何れか一つのドアスイッチ（上記例では、ドアスイッチ１５）が遮断状態から投入状態に切り替えられ、全てのドアスイッチ１４乃至１６が投入状態になると、ブザー装置１３から警告音を出力させるとともに、かごドアを開放させる。
【００２９】
なお、かご４はドアゾーンに配置されているため、その乗場３の乗場ドアもかごドアに連動して開放される。かごドア及び乗場ドアが開いた時にその乗場３に一般の利用者がいても、ブザー装置１３から警告音が鳴り響いているため、利用者が間違ってかご４に乗り込んでしまうことはない。制御盤８は、ドアスイッチ１５が遮断状態から投入されると、所定時間が経過した後に、ブザー装置１３からの警告音を停止させる。これにより、エレベーターは通常動作に復帰する。
【００３０】
この発明の実施の形態１によれば、保守員がドアスイッチを投入した時に、一般の利用者が間違えてかご４に乗り込んでしまうことを確実に防止することができる。
なお、本実施の形態では、警告音を出力するための報知装置としてブザー装置１３を備えているが、ブザー装置１３と同様の機能を備えることができれば、他の報知装置がかご４に備えられていても構わない。
【符号の説明】
【００３１】
１  昇降路
２  機械室
３  乗場
４  かご
５  つり合いおもり
６  主ロープ
７  巻上機
８、８ａ  制御盤
９  ドアゾーン検知用プレート
１０  プレート検知器
１１  ドアゾーン検知装置
１２  ドア駆動装置
１３  ブザー装置
１４、１５、１６  ドアスイッチ
１７  保守用操作盤
【図１】
0005874212.tif 000002
【図２】
0005874212.tif 000003
【図３】
0005874212.tif 000004